(57)【要約】【課題】プラテンローラー１３の継続的な使用による非粘着性の低下などに影響を受けずに、台紙なしラベル３のプラテンローラー１３への巻き込みを防止可能とし、安定した台紙なしラベル３の移送を保証可能なサーマルプリンターにおける台紙なしラベルの巻込み防止装置を提供すること。【解決手段】プラテンローラー１３の径方向に形成したスリット２２に巻込み防止プレート２３を取り付けること、巻込み防止プレート２３の一部に巻込み防止突出端２９を突出形成することに着目したもので、プラテンローラー１３の径方向の面内においてプラテンローラー１３に形成したスリット２２に、プラテンローラー１３に対して相対的に固定可能な巻込み防止プレート２３を設けるとともに、巻き込み防止プレート２３の一部にプラテンローラー１３の外周面からわずかに突出して台紙なしラベル３の裏面に接触可能な巻込み防止突出端２９を形成していることを特徴とする。【選択図】図３
2011031426.tif 000002
【特許請求の範囲】
【請求項１】
ラベル基材の裏面に粘着剤層を形成するとともに、このラベル基材の表面に剥離剤層を形成した台紙なしラベルをサーマルヘッドおよびプラテンローラーの間に供給し、このプラテンローラーの回転にともなって前記台紙なしラベルを移送するとともに前記ラベル基材の前記表面に所定内容の印字を行うサーマルプリンターにおける台紙なしラベルの巻込み防止装置であって、
前記プラテンローラーの径方向の面内において前記プラテンローラーに形成したスリットに、回転する前記プラテンローラーに対して相対的に固定可能な巻込み防止プレートを設けるとともに、
この巻き込み防止プレートの一部に前記プラテンローラーの外周面からわずかに突出して前記台紙なしラベルの前記裏面に接触可能な巻込み防止突出端を形成していることを特徴とするサーマルプリンターにおける台紙なしラベルの巻込み防止装置。
【請求項２】
前記巻込み防止プレートは、
前記プラテンローラーの回転軸の回転を保証しつつこの回転軸に嵌め込むとともに、かつその外方部に、前記サーマルヘッドおよび前記プラテンローラーの間における互いの接触部より下流側に位置するように前記巻込み防止突出端を形成している弧状嵌込み部と、
この弧状嵌込み部の両端部に位置して前記巻込み防止プレートを前記プラテンローラーに対して相対的に固定可能な左右一対の固定端部と、を有することを特徴とする請求項１記載のサーマルプリンターにおける台紙なしラベルの巻込み防止装置。
【請求項３】
前記固定端部は、
前記プラテンローラーの前記外周面から前記巻込み防止突出端の突出方向とは異なる方向に突出するとともに、前記プラテンローラーの順方向回転に対しても前記巻込み防止プレートの順方向回転を阻止可能とする第１の固定端部と、
前記プラテンローラーの前記外周面から前記巻込み防止突出端の突出方向とは異なる方向に突出するとともに、前記プラテンローラーの逆方向回転に対しても前記巻込み防止プレートの逆方向回転を阻止可能とする第２の固定端部と、を有することを特徴とする請求項２記載のサーマルプリンターにおける台紙なしラベルの巻込み防止装置。
【請求項４】
前記巻込み防止突出端は、
前記サーマルヘッドおよび前記プラテンローラーの間における前記台紙なしラベルの移送方向に沿う巻込み防止接触面を有することを特徴とする請求項１記載のサーマルプリンターにおける台紙なしラベルの巻込み防止装置。
【請求項５】
前記スリットは、
前記プラテンローラーの外周面からその回転軸の外周面にまで達していることを特徴とする請求項１記載のサーマルプリンターにおける台紙なしラベルの巻込み防止装置。
【請求項６】
前記スリットは、
前記プラテンローラーの軸方向において左右均等な位置にその一対を形成するとともに、
前記巻込み防止プレートは、それぞれの前記スリットにその一対を設けたことを特徴とする請求項１記載のサーマルプリンターにおける台紙なしラベルの巻込み防止装置。
【発明の詳細な説明】
【技術分野】
【０００１】
本発明はサーマルプリンターにおける台紙なしラベルの巻込み防止装置にかかるもので、とくに台紙なしラベルを装填して印字を行うサーマルプリンターにおける台紙なしラベルの巻込み防止装置に関するものである。
【背景技術】
【０００２】
従来から、帯状のラベル用紙として、ラベル基材の裏面側の粘着剤層に仮着させる台紙（剥離紙）を用いずに、省資源をめざした台紙なしラベルがあり、この台紙なしラベル用のプリンターも開発されている。
図４は、従来の台紙なしラベル用のプリンターの一例として、サーマルプリンター１を示す概略側面図であって、サーマルプリンター１は、たとえば携帯用として構成しているものであり、プリンターハウジング２と、台紙なしラベル３をロール状に保持する保持供給部４と、内部の移送路５と、印字部６と、を有する。
【０００３】
プリンターハウジング２には、ベルト７などにより、たとえば作業者の腰部Ｗにサーマルプリンター１を携帯可能としている。
【０００４】
台紙なしラベル３は、図中に拡大して示すように、帯状のラベル基材８と、ラベル基材８の裏面に形成した粘着剤層９と、ラベル基材８の表面に形成した下層側の感熱発色剤層１０および上層側の剥離剤層１１と、を有する。
したがって、保持供給部４に台紙なしラベル３をロール状に装填しても、粘着剤層９に剥離剤層１１が接触することになるので、ロールの内層側と外層側とが互いに接着してくっついてしまうことなく、ロール状の台紙なしラベル３を移送路５に帯状に繰り出し可能となる。
なお、台紙なしラベル３には、所定ピッチでミシン目（図示せず）を形成することにより、印字済みの台紙なしラベル３を所定の大きさに切断することができる。
【０００５】
印字部６は、サーマルヘッド１２およびプラテンローラー１３を有し、台紙なしラベル３をサーマルヘッド１２およびプラテンローラー１３の間に供給し、プラテンローラー１３の回転駆動により移送して、ラベル基材８の表面に所定内容の印字を行うことができる。
なお、サーマルヘッド１２は、これをプリンターハウジング２に設けるとともに、プラテンローラー１３は、プリンターハウジング２に固定した開閉軸１４のまわりに開閉可能なカバー１５の先端部側にこれを回転可能に設けている。
印字部６において印字された台紙なしラベル３は、プリンターハウジング２のラベル排出口１６からプリンターハウジング２外に排出され、上記ミシン目の部分で切断され、所定の部分に貼り付けられる。
【０００６】
こうした構成のサーマルプリンター１において、台紙なしラベル３の裏面の粘着剤層９に接触する移送路５の部品およびプラテンローラー１３などには必要な剥離性材料を用いてそれ自体で非粘着性を確保するか、その表面が剥離性（非粘着性）を有するように表面処理を行っている。たとえば、プラテンローラー１３としてはシリコーンゴム材を用いている。
【０００７】
しかしながら、サーマルプリンター１の継続的な使用による長時間の使用にあたっては、プラテンローラー１３における非粘着性が低下し、次第に粘着剤層９の粘着剤（糊剤）がしみこみ、さらに付着して、とくに図中、仮想線で示すように、印字済みの台紙なしラベル３が排出口１６方向ではなく、プラテンローラー１３の回転にともなってその外周面に貼り付いてしまう結果、この外周面側に巻き込まれて台紙なしラベル３の発行排出に支障が生ずるという問題がある。
【先行技術文献】
【特許文献】
【０００８】
【特許文献１】特開２００５−４７１９６号公報
【発明の概要】
【発明が解決しようとする課題】
【０００９】
本発明は以上のような諸問題にかんがみなされたもので、プラテンローラーの継続的な使用による非粘着性の低下や台紙なしラベルの粘着剤の粘着性に影響を受けずに、台紙なしラベルのプラテンローラーへの巻き込みを防止可能としたサーマルプリンターにおける台紙なしラベルの巻込み防止装置を提供することを課題とする。
【００１０】
また本発明は、プラテンローラー部分における安定した台紙なしラベルの移送を保証可能なサーマルプリンターにおける台紙なしラベルの巻込み防止装置を提供することを課題とする。
【００１１】
また本発明は、プラテンローラーの外周面に貼り付いて巻き込まれてゆこうとする台紙なしラベルをプラテンローラーの外周面から強制的にはがすことができるようにしたサーマルプリンターにおける台紙なしラベルの巻込み防止装置を提供することを課題とする。
【００１２】
また本発明は、プラテンローラーの非粘着性を向上するように改善した専用ないし新しいプラテンローラーを採用することなく、従来のままの部品を採用して、台紙なしラベルの粘着剤の種類に応じてプラテンローラーを共通化することができるサーマルプリンターにおける台紙なしラベルの巻込み防止装置を提供することを課題とする。
【課題を解決するための手段】
【００１３】
すなわち本発明は、プラテンローラーの径方向にわずかな幅のスリットを形成すること、このスリットに巻込み防止プレートを取り付けること、この巻込み防止プレートの一部に巻込み防止突出端を突出形成して台紙なしラベルの粘着剤層側に接触可能とすることに着目したもので、ラベル基材の裏面に粘着剤層を形成するとともに、このラベル基材の表面に剥離剤層を形成した台紙なしラベルをサーマルヘッドおよびプラテンローラーの間に供給し、このプラテンローラーの回転にともなって上記台紙なしラベルを移送するとともに上記ラベル基材の上記表面に所定内容の印字を行うサーマルプリンターにおける台紙なしラベルの巻込み防止装置であって、上記プラテンローラーの径方向の面内において上記プラテンローラーに形成したスリットに、回転する上記プラテンローラーに対して相対的に固定可能な巻込み防止プレートを設けるとともに、この巻き込み防止プレートの一部に上記プラテンローラーの外周面からわずかに突出して上記台紙なしラベルの上記裏面に接触可能な巻込み防止突出端を形成していることを特徴とするサーマルプリンターにおける台紙なしラベルの巻込み防止装置である。
【００１４】
上記巻込み防止プレートは、上記プラテンローラーの回転軸の回転を保証しつつこの回転軸に嵌め込むとともに、かつその外方部に、上記サーマルヘッドおよび上記プラテンローラーの間における互いの接触部より下流側に位置するように上記巻込み防止突出端を形成している弧状嵌込み部と、この弧状嵌込み部の両端部に位置して上記巻込み防止プレートを上記プラテンローラーに対して相対的に固定可能な左右一対の固定端部と、を有することができる。
【００１５】
上記固定端部は、上記プラテンローラーの上記外周面から上記巻込み防止突出端の突出方向とは異なる方向に突出するとともに、上記プラテンローラーの順方向回転に対しても上記巻込み防止プレートの順方向回転を阻止可能とする第１の固定端部と、上記プラテンローラーの上記外周面から上記巻込み防止突出端の突出方向とは異なる方向に突出するとともに、上記プラテンローラーの逆方向回転に対しても上記巻込み防止プレートの逆方向回転を阻止可能とする第２の固定端部と、を有することができる。
【００１６】
上記巻込み防止突出端は、上記サーマルヘッドおよび上記プラテンローラーの間における上記台紙なしラベルの移送方向に沿う巻込み防止接触面を有することができる。
【００１７】
上記スリットは、上記プラテンローラーの外周面からその回転軸の外周面にまで達していることができる。
【００１８】
上記スリットは、上記プラテンローラーの軸方向において左右均等な位置にその一対を形成するとともに、上記巻込み防止プレートは、それぞれの上記スリットにその一対を設けることができる。
【００１９】
上記巻込み防止プレートは、剥離性はもちろん、耐疲労性、耐変形性、耐摩耗性、耐熱性などを有するプラスチック材料（たとえば、ポリアセタール樹脂など）からこれを構成することが望ましい。
【００２０】
上記ラベル基材の表面には、剥離剤層の下層側に感熱発色剤層を形成して、上記サーマルヘッドによる印字を可能とすることが望ましい。
【発明の効果】
【００２１】
本発明によるサーマルプリンターにおける台紙なしラベルの巻込み防止装置においては、プラテンローラーの径方向に形成したスリットに巻込み防止プレートを取り付け、この巻込み防止プレートの一部に台紙なしラベルの粘着剤層側に接触可能な巻込み防止突出端を突出形成するようにしたので、サーマルヘッドとプラテンローラーとの間に移送されて印字された台紙なしラベルがこの巻込み防止突出端に接触して、プラテンローラーの外周面から乗り上げるようにしてプラテンローラーの外周面から強制的にはがされ、排出口方向に案内されるので、とくにプラテンローラーの非粘着性の低下および台紙なしラベルの粘着剤による影響を排除して、台紙なしラベルの安定した移送、発行、排出を実現することができる。
【図面の簡単な説明】
【００２２】
【図１】本発明の実施例による台紙なしラベルの巻込み防止装置２１を装備したサーマルプリンター２０のカバー１５部分の斜視図である。
【図２】同、台紙なしラベルの巻込み防止装置２１の部分の縦断面図である。
【図３】同、拡大断面図である。
【図４】従来の台紙なしラベル用のプリンター（サーマルプリンター１）を示す概略側面図である。
【発明を実施するための形態】
【００２３】
本発明は、巻込み防止プレートの一部に突出形成した巻込み防止突出端による台紙なしラベルの強制的なはがし作用により、プラテンローラーへの台紙なしラベルの巻込み動作を防止して安定した台紙なしラベルの移送を可能とするサーマルプリンターにおける台紙なしラベルの巻込み防止装置を実現した。
【実施例】
【００２４】
つぎに本発明の実施例によるサーマルプリンターにおける台紙なしラベルの巻込み防止装置を図１ないし図３にもとづき説明する。ただし、図４と同様の部分には同一符号を付し、その詳述はこれを省略する。
図１は、上記サーマルプリンター２０の前記カバー１５（図４）部分の斜視図であって、サーマルプリンター２０は、前述したサーマルプリンター１（図４）と同様に、プリンターハウジング２、保持供給部４、移送路５、印字部６およびカバー１５などを有するとともに、印字部６の部分に台紙なしラベル３の巻込み防止装置２１を備えている。
【００２５】
すなわち、台紙なしラベル３の巻込み防止装置２１では、カバー１５の先端部に回転可能に取り付けた前記プラテンローラー１３の径方向の面内（軸方向に垂直な面内）においてプラテンローラー１３に、わずかな幅の左右一対のスリット２２を形成する。
【００２６】
図２は、台紙なしラベルの巻込み防止装置２１の部分の縦断面図、図３は、同、拡大断面図であって、プラテンローラー１３におけるスリット２２に、回転するプラテンローラー１３に対して相対的に固定可能な巻込み防止プレート２３を設ける。
【００２７】
スリット２２は、プラテンローラー１３の外周面からその回転軸２４の外周面にまで達しているとともに、回転軸２４の全周にわたってこれを形成している。
さらにスリット２２は、プラテンローラー１３の軸方向において左右均等な位置（プラテンローラー１３の長さの中央部に対して左右対称な位置）にその一対を形成するとともに、巻込み防止プレート２３は、それぞれのスリット２２にその一対を設けている。
【００２８】
巻込み防止プレート２３は、弧状嵌込み部２５と、左右一対の固定端部（第１の固定端部２６、第２の固定端部２７）と、を有する。
弧状嵌込み部２５は、プラテンローラー１３の回転を保証しつつ回転軸２４にこれを嵌め込むとともに、その外方部に、サーマルヘッド１２およびプラテンローラー１３の間における互いの接触部２８より下流側（排出口１６方向側）に位置するように、ほぼ二等辺三角形状の巻込み防止突出端２９を形成している。
巻込み防止突出端２９は、サーマルヘッドおよびプラテンローラー１３の間における台紙なしラベルの移送方向に沿う巻込み防止接触面２９Ａを有するとともに、巻き込み防止プレート２３の一部としてプラテンローラー１３の外周面からわずかに突出して台紙なしラベル３の裏面（粘着剤層９）に接触可能である。
【００２９】
第１の固定端部２６および第２の固定端部２７は、弧状嵌込み部２５の両端部に位置して巻込み防止プレート２３をプラテンローラー１３に対して相対的に固定可能である。
第１の固定端部２６は、プラテンローラー１３の外周面から巻込み防止突出端２９の突出方向とは異なる第１の方向に突出するとともに、プラテンローラー１３の順方向回転（移送方向回転）に対しても巻込み防止プレート２３の順方向回転を阻止可能とする。
第２の固定端部２７は、プラテンローラー１３の外周面から巻込み防止突出端２９の突出方向とは異なる第２の方向に突出するとともに、プラテンローラー１３の逆方向回転（逆移送方向回転）に対しても巻込み防止プレート２３の逆方向回転を阻止可能とする。
すなわち、とくに図３に示すように、第１の固定端部２６は、その側面底部２６Ａをカバー１５のストッパーブラケット３０の第１のストッパー面３０Ａに当接して、巻込み防止プレート２３の回転軸２４まわりの、図中反時計方向（台紙なしラベル３の順移送方向）の回動を抑制する。
第２の固定端部２７は、第１の固定端部２６よりはわずかに長くこれを形成し、その内面側部２７Ａをカバー１５のストッパーブラケット３０の第２のストッパー面３０Ｂに当接して、巻込み防止プレート２３の回転軸２４まわりの時計方向（台紙なしラベル３の逆移送方向）の回動を抑制する。
【００３０】
なお、図１に示すように、カバー１５においてプラテンローラー１３の上流側には、複数個のガイドローラー３１を設けて、サーマルヘッド１２とプラテンローラー１３との間の移送路５に台紙なしラベル３を案内する。
また、プラテンローラー１３とガイドローラー３１との間には、ラベルセンサー３２を設けている。
【００３１】
こうした構成のサーマルプリンター１、および台紙なしラベルの巻込み防止装置２１において、印字部６におけるサーマルヘッド１２およびプラテンローラー１３の間に移送供給された台紙なしラベル３は、プラテンローラー１３の回転により移送されるとともに、サーマルヘッド１２の印字データにしたがって所定情報を印字され、排出口１６方向に向かう。
【００３２】
プラテンローラー１３の非粘着性が低下した場合、あるいはプラテンローラー１３の外周面に台紙なしラベル３の粘着剤層９の粘着剤が付着してきた場合であっても、台紙なしラベル３をプラテンローラー１３に付着したまま巻き付くような方向（図３中、点線）に向かわせることなく、巻込み防止プレート２３の弧状嵌込み部２５における巻込み防止突出端２９（巻込み防止接触面２９Ａ）が台紙なしラベル３の先端部をプラテンローラー１３から強制的にはがして、図３中、実線で示すように、排出口１６方向に案内することができる。
【００３３】
かくして、印字済みの台紙なしラベル３がプラテンローラー１３に巻き込むことを確実に防止し、安定した台紙なしラベル３の移送、印字、および発行排出動作を保証することができる。
【００３４】
なお、プラテンローラー１３にスリット２２を形成することによって、このスリット２２の部分を移送される台紙なしラベル３における印字圧が低下するおそれがあるが、台紙なしラベル３には、台紙付きラベルに比べて所定レベル以上の剛性があるため、台紙なしラベル３がスリット２２の部分を横切っても台紙なしラベル３にかかる印字圧の影響はさほどないとともに、サーマルプリンター２０が携帯式の場合には、それほどの印字圧を必要とせず、印字パターンの工夫などと合わせれば、印字性能に支障を生ずることはない。
【符号の説明】
【００３５】
１  サーマルプリンター（図４）
２  プリンターハウジング
３  台紙なしラベル
４  保持供給部
５  移送路
６  印字部
７  ベルト
８  ラベル基材
９  粘着剤層
１０  感熱発色剤層
１１  剥離剤層
１２  サーマルヘッド
１３  プラテンローラー
１４  開閉軸
１５  カバー
１６  排出口
２０  サーマルプリンター（図１）
２１  サーマルプリンター２０における台紙なしラベル３の巻込み防止装置（実施例、図１〜図３）
２２  左右一対のスリット
２３  左右一対の巻込み防止プレート
２４  プラテンローラー１３の回転軸
２５  弧状嵌込み部
２６  第１の固定端部
２６Ａ  第１の固定端部２６の側面底部（図３）
２７  第２の固定端部
２７Ａ  第２の固定端部２７の内面側部（図３）
２８  サーマルヘッド１２とプラテンローラー１３との接触部（図３）
２９  巻込み防止突出端
２９Ａ  巻込み防止突出端２９の巻込み防止接触面
３０  ストッパーブラケット
３０Ａ  ストッパーブラケット３０の第１のストッパー面
３０Ｂ  ストッパーブラケット３０の第２のストッパー面
３１  ガイドローラー（図１）
３２  ラベルセンサー
Ｗ    作業者の腰（図４）
【図１】
2011031426.tif 000003
【図２】
2011031426.tif 000004
【図３】
2011031426.tif 000005
【図４】
2011031426.tif 000006